【手続補正書】
【提出日】平成17年1月17日(2005.1.17)
【手続補正１】
【補正対象書類名】明細書
【補正対象項目名】特許請求の範囲
【補正方法】変更
【補正の内容】
【特許請求の範囲】
【請求項１】
駆動電流に応じた信号強度で磁気記録媒体上のトラックに信号を記録する磁気記録装置であって、
磁気記録媒体上の記録トラックの切り換えに同期して、電流値の異なる第１および第２の駆動電流を交互に発生する駆動電流発生回路と、
上記第１および第２の駆動電流に応じて、上記磁気記録媒体上の隣接するトラックに交互に異なる信号強度で信号を記録する記録回路とを有する磁気記録装置。
【請求項２】
上記記録回路は、上記駆動電流発生回路により供給された上記駆動電流の方向を記録信号に応じて制御する電流変換回路と、
上記電流変換回路により制御された上記駆動電流に応じて、上記磁気記録媒体上のトラックに所定の信号を記録する磁気ヘッドとを有する請求項１記載の磁気記録装置。
【請求項３】
駆動電流に応じた信号強度で磁気記録媒体上のトラックに信号を記録する磁気記録装置であって、
磁気記録媒体上の記録トラックの切り換えに同期して、電流値の異なる第１および第２の駆動電流を交互に発生する駆動電流発生回路と、
入力された上記第１の駆動電流および第１の記録信号に応じた信号を上記磁気記録媒体上の第１のトラックに記録する第１の記録回路と、
入力された上記第２の駆動電流および第２の記録信号に応じた信号を上記第１のトラックと隣接する第２のトラックに記録する第２の記録回路と、
上記駆動電流発生回路により発生された上記第１および第２の駆動電流を上記第１および第２の記録回路に交互に供給する切り換え回路とを有する磁気記録装置。
【請求項４】
上記第１の記録回路は、上記切り換え回路により供給された上記駆動電流の方向を記録信号に応じて制御する第１の電流変換回路と、
上記第１の電流変換回路により制御された上記第１の駆動電流に応じて、上記磁気記録媒体上のトラックに所定の信号を記録する第１の磁気ヘッドとを有する請求項３記載の磁気記録装置。
【請求項５】
上記第２の記録回路は、上記切り換え回路により供給された上記駆動電流の方向を記録信号に応じて制御する第２の電流変換回路と、
上記第２の電流変換回路により制御された上記第２の駆動電流に応じて、上記磁気記録媒体上のトラックに所定の信号を記録する第２の磁気ヘッドとを有する請求項３記載の磁気記録装置。
【請求項６】
上記第１の電流変換回路により制御された上記第１の駆動電流を第１の磁気ヘッドに転送する第１の電流転送手段と、
上記第２の電流変換回路により制御された上記第２の駆動電流を第２の磁気ヘッドに転送する第２の電流転送手段とを有する請求項３記載の磁気記録装置。
【請求項７】
上記第１および第２の電流転送手段は、回転トランスにより構成されている請求項６記載の磁気記録装置。
【請求項８】
磁気記録媒体上の記録トラックの切り換えに同期して、電流値の異なる第１および第２の駆動電流を交互に発生する駆動電流発生回路と、上記第１および第２の駆動電流に応じて、上記磁気記録媒体上の隣接するトラックに交互に異なる信号強度で信号を記録する記録回路とを有する磁気記録装置であって、
上記駆動電流発生回路は、
第１の差動増幅器と、
上記第１の差動増幅器の一方の入力端子に供給する基準電圧と、他方の入力端子に供給する電圧レベルを切り換える第１のスイッチと、
上記第１の差動増幅器の出力が一方の入力に供給され、他方の入力には出力電圧がフィードバックされた電圧が供給される第２の差動増幅器と、
上記第１のスイッチに同期して切換え、前記第２の差動増幅器の出力電流に対応する前記第１と第２の駆動電流を出力する第２のスイッチと、
を有する磁気記録装置。
【請求項９】
上記記録回路は、上記駆動電流発生回路により供給された上記駆動電流の方向を記録信号に応じて制御する電流変換回路と、
上記電流変換回路により制御された上記駆動電流に応じて、上記磁気記録媒体上のトラックに所定の信号を記録する磁気ヘッドとを有する請求項８記載の磁気記録装置。
【手続補正２】
【補正対象書類名】明細書
【補正対象項目名】０００４
【補正方法】変更
【補正の内容】
【０００４】
差動増幅回路において、トランジスタＰ１とＰ２、抵抗素子Ｒ１とＲ２によりカレントミラーが構成され、当該カレントミラーはトランジスタＱ１とＱ２の負荷回路を構成している。トランジスタＱ１のベースが電圧源ＶＳ１に接続され、トランジスタＱ２のベースがトランジスタＱ３のエミッタに接続され、トランジスタＱ１のコレクタがトランジスタＰ１のコレクタに接続され、トランジスタＱ２のコレクタがトランジスタＰ２のコレクタに接続されている。トランジスタＱ１とＱ２のエミッタ同士が共通に接続され、その接続点が電流源ＩＳ１に接続されている。
トランジスタＰ１とＰ２のベースがトランジスタＰ１のコレクタに共通に接続されている。トランジスタＰ１およびＰ２のエミッタがそれぞれ抵抗素子Ｒ１およびＲ２を介して電源電圧ＶCCに接続されている。
【手続補正３】
【補正対象書類名】明細書
【補正対象項目名】００４９
【補正方法】変更
【補正の内容】
【００４９】
電流変換回路１において、電流源ＩＳ３により供給された駆動電流ｉ0 は、例えば、スイッチＳ３により切り換えられた駆動電流ｉ01またはｉ02の何れかにより制御されるとすると、電流値大きな駆動電流ｉ01に応じて、磁気テープ上のトラックに強度の大きい信号が記録され、逆に電流値の小さな駆動電流ｉ02に応じて、磁気テープ上のトラックに強度の小さい信号が記録される。
【手続補正４】
【補正対象書類名】明細書
【補正対象項目名】００５３
【補正方法】変更
【補正の内容】
【００５３】
トラックの切り換えに同期してスイッチＳ２およびＳ３も切り換えられる。この場合に、スイッチＳ２がオン状態に設定され、スイッチＳ３が記録アンプ２０側に接続される。このため、トラックＴＲ１２を記録するとき、駆動電流発生回路により、トラックＴＲ１１を記録するときの駆動電流ｉ01より小さい駆動電流ｉ02が発生され、スイッチＳ３により記録アンプ２０に入力される。当該駆動電流ｉ02により制御された信号強度を持つ複数のデータ"０"またはデータ"１"が磁気ヘッド４０により、トラックＴＲ１２に記録される。上述した切り換え動作が繰り返して行われるので、トラックＴＲ２１およびトラックＴＲ２２はトラックＴＲ１１およびＴＲ１２と同様に、それぞれ異なる信号強度で記録される。
【手続補正５】
【補正対象書類名】明細書
【補正対象項目名】００５４
【補正方法】変更
【補正の内容】
【００５４】
この結果、トラックＴＲ１２およびＴＲ２２に記録される信号の強度がトラックＴＲ１１およびＴＲ２１に記録された信号の強度より小さく、等価的にトラックＴＲ１２およびＴＲ２２の幅がトラックＴＲ１１およびＴＲ２１の幅より狭くなる。このため、隣接するトラック間のオーバーライトが防止されるので、信号再生時にエラーレートの低減を実現可能である。
【手続補正６】
【補正対象書類名】明細書
【補正対象項目名】００５５
【補正方法】変更
【補正の内容】
【００５５】
なお、トラックの信号強度を小さくすることにより、信号再生時のエラーレートの劣化を招くおそれがあるので、本実施形態では、これを考慮して、エラーレートに影響を与えない程度に低減した駆動電流ｉ02を発生し、通常の駆動電流ｉ01と切り換えながら信号の記録を行う。